(57)【要約】【課題】アルコールの揮散を確実に抑えることができ、消毒綿の折り畳み状態を損なわず、携帯にも便利な袋詰め消毒綿の提供。【解決手段】消毒綿が繰り返し密封可能な袋に収容された袋詰め消毒綿。消毒綿の収容形態の高さに対応して袋２の両側面部２０が内側に折り込まれて平面視略三角形状のまち部２１が形成されるとともに、両側面部２０におけるまち部２１の上方に位置する部分が谷折りされて天面部２２及び天面部２２から上方に向けて起立し且つ上端部に開口部２３を有する折りしろ部２４が形成され、折りしろ部２４に、可塑性を有する線状の留め具３が、その両端部３０を折りしろ部２４の両側から外側に突出させた状態で折りしろ部２４に取り付けられ、開封後の開口部２３を内側に巻き込むように、折りしろ部２４を留め具３の長手方向に略沿って折り曲げ、留め具３の両端部３０を折り曲げて袋２の密封状態を維持するように設けられている。【選択図】  図１
2004182290.tif 000002
【特許請求の範囲】
【請求項１】
消毒綿が繰り返し密封可能な袋に収容された袋詰め消毒綿であって、前記消毒綿の収容形態の高さに対応して前記袋の両側面部が内側に折り込まれて平面視略三角形状のまち部が形成されるとともに、前記両側面部における前記まち部の上方に位置する部分が谷折りされて天面部及び天面部から上方に向けて起立し且つ上端部に開口部を有する折りしろ部が形成され、該折りしろ部に、可塑性を有する線状の留め具が、その両端部を前記折りしろ部の両側から外側に突出させた状態で該折りしろ部に取り付けられ、開封後の前記開口部を内側に巻き込むように、前記折りしろ部を前記留め具の長手方向に略沿って折り曲げ、前記留め具の前記両端部を折り曲げて前記袋の密封状態を維持するように設けられている袋詰め消毒綿。
【請求項２】
前記消毒綿は、そのままの又は二つ折り若しくは四つ折りにされた複数枚の消毒綿が重ね合わされて束が形成され、該束が複数束で列状に並べられた収容形態で前記袋に収容されている請求項１記載の袋詰め消毒綿。
【請求項３】
前記消毒綿に含浸される消毒剤が、アルコール濃度５０ｖｏｌ％以上である請求項１又は２記載の袋詰め消毒綿。
【請求項４】
プラスチック密閉容器に収納される請求項１〜３の何れかに記載の袋詰め消毒綿。
【発明の詳細な説明】
【０００１】
【発明の属する技術分野】
本発明は、消毒剤、特にアルコールなどの揮散成分を含む外皮用の消毒剤を含浸させた消毒綿が繰り返し密閉可能な袋に収容された袋詰め消毒綿に関する。
【０００２】
【従来の技術及び発明が解決しようとする課題】
病院や診療所等の医療機関において、患者の傷口部分等の局部を消毒する場合、脱脂綿等の多数の滅菌した基材を手に触れないように注意しながら滅菌処理した万能つぼに入れ、さらにアルコールやポピドンヨード等の消毒成分を溶解した水を該万能つぼに十分に注ぎ入れて該基材を浸して消毒綿を準備していた。
ところが、このような万能つぼを用いた場合には、多くの基材を滅菌状態のまま手に触れずに万能つぼに移す作業が必要であるため、多くの手間を要していた。また、予め定められた保管期間の中で細菌の侵入を防ぐには十分な注意が必要であり、保管期間を過ぎた場合には消毒綿は全て廃棄しなければならず、無駄が多い現状にある。さらに、万能つぼは蓋の開閉が容易である反面、密閉性に劣るため、アルコールが揮散して十分な消毒効果が得られなかったり、水分が蒸発して使用時に対象面に十分な量の消毒剤を塗布できない場合があった。
加えて、消毒綿を全て使い果たした後や、予め定められた保管期間を過ぎて消毒綿を廃棄した後に、万能つぼを滅菌処理室で洗浄し滅菌する必要があるため、その作業のために万能つぼを運ぶ手間が掛かる上、大量の水を必要とする洗浄作業や滅菌作業に多くの手間が掛かかっていた。
【０００３】
このため、最近では、上述のような万能つぼを用いて消毒綿を準備する方法の問題に鑑み、脱脂綿、ガーゼ、不織布等の基材に、アルコールその他の消毒成分を水に溶解させた消毒剤が含浸され、積み重ねられた状態で容器に多数枚が収容された使い捨てタイプの容器入り消毒綿が提供されている。この容器には、容器本体にヒンジを介して上蓋が取り付けられた構成のプラスチック製のリジットタイプの容器や、開口部にメカニカルファスナーを備えたラミネート製のパウチ容器等の形態のものが用いられている。
【０００４】
ところで、医療現場においては、看護師や医師等の医療従事者が不意にアルコール消毒を必要とする場面が多々あり、医療従事者は、消毒綿を常時携帯しておくことが望まれている。しかし、従来の、リジッドタイプの容器やパウチ容器は、万能つぼと同様に多数枚の消毒綿を一つの容器に収容しているため、容器が大きく嵩張り、医療従事者が常時携帯するには不便であった。また、リジットタイプの容器は、蓋の開閉は容易であるものの、アルコールや水分等の揮散に対する密閉性は十分とはいえなかった。このため、蓋の開閉を繰り返すうちに、アルコールや水が揮散してしまい、万能つぼと同様に、十分な消毒効果が得られなかったり、使用時に対象面に十分な量の消毒剤を塗布できない場合があった。パウチ容器は、アルコールや水の揮散に対する密閉性は高いものの、開閉操作が面倒なため、開封状態のまま使用されたり、密閉状態が不完全なまま保管されたりする場合があり、リジッドタイプの容器と同様に、揮散成分が揮散し、十分な消毒効果が得られなかったり、使用時に対象面に十分な量の消毒剤を塗布できない場合があった。
【０００５】
このようなアルコールや水等の揮散の問題を改善するとともに、容器の開閉を容易にし、使い勝手を良くするため、上蓋の上面やパウチ容器の胴部にさらに取り出し用の窓を設け、該窓を粘着式のシール蓋で開け閉めする容器も提供されているが、シール蓋の粘着成分が消毒綿のアルコールによって溶解してしまったり、水分が付着してしまったりして、シール性が損なわれる問題があった。そのため、アルコールが揮散して十分な消毒効果が得られなかったり、使用時に対象面に十分な量の消毒剤を塗布できない場合があった。
【０００６】
一方、防湿性の袋の一面に可塑性の線材からなる折り止め部材を取り付け、袋の開封後にも防湿性を損なわずに繰り返し開閉を行えるようにした防湿袋が提案されている（例えば、特許文献１参照）。
【０００７】
【特許文献１】
実開昭５９−３８７８号公報
【０００８】
しかし、このような形態の防湿袋に消毒綿を収容すると、袋内に隙間が有りすぎるため、束に積み重ねられた消毒綿が崩れてしまったり、折り畳まれた消毒綿の折り畳み状態が損なわれてしまい、使用時に不便であった。また、この防湿袋は、防湿に関しては考慮されているが、揮発成分を含む内容物を収容したときの当該揮発成分の揮発や、水分を大量に含む内容物を収容したときの当該成分の揮発に関しては何等考慮されていない。
【０００９】
従って、本発明は、開閉が容易であるにもかかわらず、消毒綿に含まれるアルコールや水分の揮散を確実に抑えることができ、消毒綿の積み重ね状態や折り畳み状態を損なわず、携帯にも便利な袋詰め消毒綿を提供することを目的とする。
【００１０】
【課題を解決するための手段】
本発明は、消毒綿が繰り返し密封可能な袋に収容された袋詰め消毒綿であって、前記消毒綿の収容形態の高さに対応して前記袋の両側面部が内側に折り込まれて平面視略三角形状のまち部が形成されるとともに、前記両側面部における前記まち部の上方に位置する部分が谷折りされて天面部及び天面部から上方に向けて起立し且つ上端部に開口部を有する折りしろ部が形成され、該折りしろ部に、可塑性を有する線状の留め具が、その両端部を前記折りしろ部の両側から外側に突出させた状態で該折りしろ部に取り付けられ、開封後の前記開口部を内側に巻き込むように、前記折りしろ部を前記留め具の長手方向に略沿って折り曲げ、前記留め具の前記両端部を折り曲げて前記袋の密封状態を維持するように設けられている袋詰め消毒綿を提供することにより、前記目的を達成したものである。
【００１１】
【発明の実施の形態】
以下、本発明を、その好ましい実施形態に基づき添付図面を参照しながら説明する。
【００１２】
図１〜図４は、本発明の袋詰め消毒綿の一実施形態を模式的に示したものである。これらの図において、符号１は袋詰め消毒綿を示している。
【００１３】
図１に示すように、袋詰め消毒綿１は、消毒綿４（図４参照。）が繰り返し密封可能な袋２に収容されている。
【００１４】
本実施形態の袋詰め消毒綿１は、消毒綿の収容形態の高さに対応して袋２の両側面部２０が内側に折り込まれて平面視略三角形状のまち部２１が形成されている。また、両側面部２０におけるまち部２１の上方に位置する部分が谷折りされ、天面部２２及び天面部２２から上方に向けて起立し且つ上端部に開口部２３を有する折りしろ部２４が形成されている。そして、折りしろ部２４に、可塑性を有する線状の留め具３が、その両端部３０を折りしろ部２４の両側から外側に突出させた状態で折りしろ部２４に取り付けられている。
【００１５】
袋詰め消毒綿１は、未使用の状態では、開口部２３がシールされている。
図２に示すように、袋２は、両端部が所定幅で接合された接合部２５を有する１枚の筒状のシートから形成されている。そして該シートの一端部が接合されて底部接合部２６が形成され、底部接合部２６の両側が内側に折り込まれてまち部２７が形成され、消毒綿の収容形態（幅Ｘ、奥行きＹ、図１参照。）に対応した略平面視矩形状の形態を有する底部２８が形成されている。
【００１６】
袋詰め消毒綿１は、図２に示すように袋２を開封した後に再び密閉する場合には、図３に示すように当該袋２の開口部２３を内側に巻き込むように折りしろ部２４を留め具３の長手方向に略沿って折り曲げ（本実施形態では三つに折り）、留め具３の両端部３０をさらに折り曲げて袋２の密封状態が維持されるように設けられている。折りしろ部２４の折り曲げは、消毒綿４と袋２との間に空間が生じないよう、折り曲げ部分が消毒綿４に密着するように折り曲げることが好ましい。無用の空間を作らないことで、消毒液の揮発をより効果的に防ぐことができる。
【００１７】
図１に示すように、袋２の大きさは、コンパクトで携帯にも便利で、後述するような収容形態で消毒綿を収容することができ且つ開封後においても袋２の折りしろ部２４を折り曲げて留め具３で密閉状態を維持することができる点から、幅Ｘが８５〜１３０ｍｍ、奥行きＹが４０〜９０ｍｍ、高さ（肩までの高さ）Ｔ１が１０〜１００ｍｍであることが好ましい。
【００１８】
特に、折りしろ部２４の高さは、少なくとも三つ折り以上に折り曲げられる長さとすることが好ましい。折りしろ部２４の高さＴ２は、３０〜８０ｍｍ、特に３５〜５０ｍｍとすることが好ましい。折りしろ部２４の長さが短すぎると袋２の開封直後で消毒綿が満杯に入っているときに折りしろ部を折り返すことが難しく、密封状態を維持することが困難となる場合がある。また、長すぎると、開閉に際して折り返し部を何度も解いたり折り畳んだりしなければならず、取り扱いに不便であるほか、消毒綿も取り出しづらくなる。また、密閉後の袋の形態も大きくなるため、携帯にも不便であったり、プラスチック容器等に収容して保管する場合に収容しづらくなる。
【００１９】
袋２を形成する前記基材シートの材質は、従来から消毒綿の収容に用いられている通常のものを用いることができる。該基材シートの材質としては、例えば、ナイロン／Ａｌ／ＬＤＰＥ、ナイロン／Ａｌ／ＬＬＤＰＥ、ナイロン／Ａｌ／ｃＰＰ、ＰＥＴ／Ａｌ／ｃＰＰ、ＰＥＴ／Ａｌ／ＬＤＰＥ、ＰＥＴ／Ａｌ／ＬＬＤＰＥ、ＰＥ／紙／Ａｌ／ＬＤＰＥ、紙／Ａｌ／ＬＬＤＰＥ、紙／Ａｌ／ＬＬＤＰＥ／、ＰＥＴ／シリカ真空蒸着ＰＥＴ／ＬＤＰＥ、ＰＥＴ／シリカ真空蒸着ＰＥＴ／ＬＬＤＰＥ、ＰＥＴ／ＥＶＯＨ／ｃＰＰ、ＰＥＴ／Ａｌ／ＰＥＴ／ＰＥＴ／ＰＥ、ＰＥＴ／ＰＥ／Ａｌ／ＥＭＡＡ、紙／ＰＥ／Ａｌ／ＥＭＡＡ等の高気密性のラミネートタイプのものが挙げられる。そして、これらの中でも酸素、水分、紫外線の透過性を低く抑えることができ、価格も低く抑えることができる点から特にＰＥＴ／Ａｌ／ｃＰＰ、ＰＥＴ／Ａｌ／ＬＤＰＥ、ＰＥＴ／Ａｌ／ＬＬＤＰＥ等のラミネートタイプが好ましい。
【００２０】
本実施形態では、留め具３は、可塑性の針金（軟質金属）が樹脂で被覆されて所定幅を有する線材に設けられている。留め具３の幅Ｗと前記折りしろ部２４の高さＴ２との比（Ｗ／Ｔ２）は、１／２０〜１／２、特に、１／１５〜１／３とすることが好ましい。比が小さすぎると操作性が悪く、また繰り返し使用する際に強度が保たれない。比が大きすぎると折り返すことが難しく、またＴ２の長さもそれだけ余分に必要となり、ごみが増える。留め具３の幅Ｗは、３〜２０ｍｍ、特に、４〜１８ｍｍであることが好ましい。
【００２１】
留め具３の端部３０の袋２における胴部２０からの突出長さＬは、１０ｍｍ〜Ｘ／２ｍｍ、特に１０ｍｍ〜Ｘ／４ｍｍであることが好ましい。ここで、Ｘは前記幅である。留め具３の端部３０の突出長さが短すぎると、携帯中に押さえが外れて密閉状態を維持することができなくなり、長すぎると使用中じゃまになり使い勝手が悪い。
【００２２】
留め具３の取付位置（高さ）は、留め具３の幅Ｗ及び袋２の折りしろ部２４の折り曲げの形態に合わせて応じて適宜設定することができる。例えば、折りしろ部２４を三つ折りにする場合には折りしろ部２４の中間の位置に取り付けることが好ましい。
【００２３】
留め具３の袋２の胴部２０への取付方法に特に制限はないが、接着剤で固定して取り付ける方法、接着テープで留め具３の一部を被覆するようにして取り付ける方法、留め具３の袋２の胴部への取付側に接着剤を塗工するか又は接着テープ（両面テープ）を貼り付けて固定する方法等の取付方法が挙げられる。そして、製造上の簡便性、確実性から接着テープで固定する取付方法が好ましい。
【００２４】
図４に示すように、消毒綿４は、１枚が１６００〜４００００ｍｍ２のものを例えば、そのまま又は二つ折り若しくは四つ折り（本実施形態では四つ折り）にし、これを５〜１００枚（本実施形態では６枚）重ねた束を１〜４束（本実施形態では４束）で、１又は２列（本実施形態では２列）に並べられた収容形態で収容されている。このような形態で収容することで、携帯に便利なコンパクトな収容形態とすることができるほか、上から順番に取り出すことができるため、積み重ねの下に位置する消毒綿に手指などが触れることがなく、残りの消毒綿を清潔に保つことができる。
【００２５】
袋２内に収容される消毒綿４は、従来から用いられている材質で、所定の消毒剤を含浸したものを特に制限無く用いることができる。例えば、ガーゼ、脱脂綿、不織布等の基材にエタノール、イソプロパノール等のアルコール、アクリノール、塩化ベンザルコニウム、塩化ベンゼトニウム、過酸化水素、グルコン酸クロルヘキシジン、ポピドンヨード、ヨードチンキ、マーキュロクロム等を有効成分とする消毒剤を含ませたものを用いることができる。
【００２６】
以上説明したように、本実施形態の袋詰め消毒綿は、開封後は折りしろ部２４を折り曲げてさらに留め具３で確実に袋２を密閉できるので、アルコールや水分等の揮散成分の揮散を確実に抑えることができる。また、袋の形態が消毒綿の収容形態に対応した形態を有しているので、袋内に無駄な隙間がほとんどない。従って、この点においてもアルコール等の揮散成分の揮散を少なくすることができるとともに、消毒綿の積み重ね状態や折り畳み状態を損なうことがない。さらに、嵩張らないことに加えて、収容されている消毒綿が使用により減った場合には収容されている量に応じてより小さくすることができるため、常時携帯する場合に便利である。
【００２７】
本実施形態の袋詰め消毒綿１は、未開封の状態の開口部２３を巻き込むように折りしろ部２４を折り曲げ、留め具３の端部３０を折り曲げて折りしろ部２４を折り畳んだ状態で提供することが好ましい。また、この状態の袋詰め消毒綿１をさらに密閉性の高いプラスチック容器に収容して提供することもできる。この場合には、開封後に袋詰め消毒綿を密閉してさらに該容器に収容できるため、残った消毒綿を翌日まで保管する場合や、しばらく使用しない場合等長期間に亘って、アルコールや水等の揮散成分の揮散をさらに確実に抑えることができる。
【００２８】
本発明は、前記実施形態に制限されるものではなく、本発明の趣旨を逸脱しない範囲において、適宜変更することができる。
【００２９】
【実施例】
以下、本発明を実施例によりさらに具体的に説明する。
【００３０】
〔実施例１〕
図１に示す形態で下記寸法等を有する袋を作製し、その中に消毒用エタノール１８０ｍｌを含ませた脱脂綿３２ｇ（含ませる前の重量）を収容した。そして、折りしろ部を三つ折りし、留め具を両側から折り曲げて密閉状態とした。この袋詰め消毒綿を２９℃、相対湿度７０％ＲＨの環境下で１〜５日間保存した。保存期間中、１回１０秒の開封を一日２０回繰り返した。そして、保存日数０日での薬液重量に対する重量変化を測定し、密封性を評価した。その結果を表１及び図５に示した。
【００３１】
＜袋の寸法等＞
幅Ｘ：９０ｍｍ
奥行きＹ：８５ｍｍ
高さＴ１：３２ｍｍ
折りしろ部の高さＴ２：４０ｍｍ
袋の基材シート材質：ＰＥＴ／Ａｌ／ｃＰＰ
留め具：材質（ＰＥＴ被覆Ａｌ芯線）、長さ１３５ｍｍ、幅４ｍｍ、突出長さ２２．５ｍｍ
【００３２】
〔実施例２〕
脱脂綿の重量を１６ｇとし、該脱脂綿に含ませる消毒用エタノールを９０ｍｌとした以外は、実施例１と同様に保存して評価を行った。その結果を表１及び図５に示した。
【００３３】
〔実施例３〕
脱脂綿の重量を８ｇとし、該脱脂綿に含ませる消毒用エタノールを４５ｍｌとした以外は、実施例１と同様に保存して評価を行った。その結果を表１及び図５に示した。
【００３４】
〔比較例１〕
健栄製薬製「エタコット」１００枚入りを実施例１と同様にして保存するとともに保存期間中に同様の開封を行って密閉性を評価した。その結果を表１及び図５に示した。
【００３５】
〔比較例２〕
比較例１の製品から予め５０枚を取り除いた以外は、比較例１と同様に保存して評価を行った。その結果を表１及び図５に示した。
【００３６】
〔比較例３〕
消毒用エタノール１３６ｍｌを含ませた脱脂綿２４ｇ（含ませる前の重量）を容量２５０ｇの万能壺に収容し、実施例１と同様にして保存するとともに保存期間中に同様の開封を行って密閉性を評価した。その結果を表１及び図５に示した。
【００３７】
〔比較例４〕
消毒用エタノールを含ませた脱脂綿を予め半分量を取り除いた以外は、比較例３と同様に保存して評価を行った。その結果を表１及び図５に示した。
【００３８】
【表１】
2004182290.tif 000003
【００３９】
表１及び図５に示すように、実施例１から３の袋詰め消毒綿（本発明品）は、５日の保存期間に亘って重量減少量を３％以内に抑える得ることが確認できた。これに対し、比較例１〜４のものは、３日以降では重量減少量が多くなり、特に比較例２〜４では、２日以降では著しく重量が減少し、気密性に劣るものであった。
【００４０】
【発明の効果】
本発明の袋詰め消毒綿は、アルコールや水等の揮散成分の揮散を確実に抑えることができ、消毒綿の積み重ね状態や折り畳み状態を損なわず、携帯にも便利である。
【図面の簡単な説明】
【図１】本発明の袋詰め消毒綿の一実施形態を示す斜視図である。
【図２】同実施形態における袋の開封状態を示す斜視図である。
【図３】同実施形態における袋を折りしろ部を折り曲げて留め具で再び密封した状態を示す斜視図である。
【図４】同実施形態における消毒綿の収容形態を示す斜視図である。
【図５】実施例及び比較例による密閉性の評価結果を示す図である。
【符号の説明】
１  袋詰め消毒綿
２  袋
２０  側面部
２１  まち部
２２  天面部
２３  開口部
２４  折りしろ部
３  留め具
３０  両端部
４  消毒綿
【図１】
2004182290.tif 000004
【図２】
2004182290.tif 000005
【図３】
2004182290.tif 000006
【図４】
2004182290.tif 000007
【図５】
2004182290.tif 000008